(57)【要約】【課題】ローラにシートを着脱自在に保持させるための着脱手段をローラの周面やシートに備える必要をなくし、シートを使い捨てに構成する。【解決手段】シート１の本体１ａをローラ２の周面に巻着した後、シート１の両端部に延出した延出部１ｂをローラ２の端面側に折り曲げ、延出部１ｂの一部をローラ２の開口部２ａ内に折り込む。この状態で蓋体３の軸部３ｂをローラ２の開口部２ａに嵌合する。シート１の延出部１ａの一部を軸部３ｂの外周面と開口部２ａの内周面との間に挟持することにより、ローラ２の周面及び端面に対するシート１の被覆状態を維持する。【選択図】図２
2004174200.tif 000002
【特許請求の範囲】
【請求項１】
円柱形状の外形を呈するローラと、このローラの少なくとも周面に着脱自在に巻着する吸水性を有する使い捨てのシートと、ローラを回転自在に支持する支持部を把持部に一体的に形成したホルダと、を設けたことを特徴とするローション用塗布具。
【請求項２】
前記ローラは少なくとも一方の端面に凹部を形成し、前記シートはローラの軸方向の長さに等しい幅の本体と本体におけるローラの軸方向の少なくとも一端側からローラの半径方向の厚みを超える範囲に延出した延出部とからなり、シートの延出部の一部を挟み込んだ状態で前記凹部に着脱自在に嵌合する蓋体を設けたことを特徴とする請求項１に記載のローション用塗布具。
【請求項３】
前記シートは、ローラの外径に略等しい内径のロール状を呈することを特徴とする請求項１又は２に記載のローション用塗布具。
【請求項４】
前記ローラは、少なくとも一方の端部の角部を全周にわたって丸めたことを特徴とする請求項１乃至３の何れかに記載のローション用塗布具。
【請求項５】
前記蓋体は、一部においてローラに一体的に形成されていることを特徴とする請求項１乃至４の何れかに記載のローション用塗布具。
【請求項６】
前記蓋体は、前記ホルダの支持部に回転自在に支持されていることを特徴とする請求項１乃至４の何れかに記載のローション用塗布具。
【請求項７】
前記ローラは、軸方向の一部又は全部において前記凹部に連通する中空部を有し、前記蓋体は、前記ローラの中空部の水密性を維持する状態で前記凹部に嵌合することを特徴とする請求項１乃至６の何れかに記載のローション用塗布具。
【請求項８】
前記ローラは周面を平滑に構成し、前記シートはローラの周面に全周にわたって巻着する矩形を呈するとともに、前記シートがローションを含浸した状態で拡げて載置される板状体であって前記シートの載置面の略全面に多数の凹凸を形成したトレイを備えたことを特徴とする請求項１に記載のローション用塗布具。
【請求項９】
前記トレイは、前記シートの載置面の周囲を包囲するリブを形成したことを特徴とする請求項８に記載のローション用塗布具。
【発明の詳細な説明】
【０００１】
【発明の属する技術分野】
この発明は、美容用具として用いられ、顔等の皮膚にマッサージ効果を与えつつ、美容効果を有するローション等の液体を塗布する際に使用されるローション用塗布具に関する。
【０００２】
【従来の技術】
顔等の皮膚に美容効果を与える美容用具として、従来より、把持部を有するホルダにローラを回転自在に支持し、ローラの周面を皮膚に当接させた状態で把持部を皮膚に沿って移動させることによってローラを回転させ、ローラの周面から皮膚に対してマッサージ効果等の美容効果を与えるようにしたものがある（例えば、特許文献１参照。）。
【０００３】
また、このようなローラ状の美容器具が、皮膚からマッサージクリームやスリミングクリームを角質とともに皮膚から除去するために使用されることを考慮して、ローラ周面に粘着シート又は粘着ゲルシートからなる粘着手段を備えたものもある（例えば、特許文献２参照。）。
【０００４】
特許文献２に開示された美容器具では、クリームや角質が付着することによって粘着手段が汚損することを考慮して、ローラに対して粘着手段を着脱自在にしている。ローラに対して粘着手段を着脱自在にする具体的な手段として、ローラの周面及び粘着手段の片面のそれぞれに例えばフック部と係止部からなるベルベット式ファスナを設けている。
【０００５】
【特許文献１】
特開平０７−０２４０２６号公報
【特許文献２】
特開２０００−１１６７４０公報
【０００６】
【発明が解決しようとする課題】
しかしながら、特許文献１に記載された構成は、ローラの周面を直接皮膚に当接させるものであるため、皮膚に対するローション等の液体の塗布に使用することはできない。
【０００７】
この点で、特許文献２に記載された構成は、ローラの周面を粘着手段を介して皮膚に当接させるものであり、粘着手段は皮膚に付着しているクリームを粘着するものであるために吸水性を有するものであるとも考えられ、この貼着手段にローション等の液体を含浸させることにより，皮膚に対するローション等の塗布に使用することができるかもしれない。
【０００８】
ところが、特許文献２に記載された構成では、ローラの周面及び粘着手段の片面にベルベット式ファスナが設けているため、粘着手段となるシートが高価にならざるを得ず、シートを使い捨てにすることができず、使用後にシートを洗浄する等の衛生状態を維持するための煩雑な作業が不可欠になる問題がある。
【０００９】
また、特許文献２に記載された構成では、ローラの周面のみに粘着手段を着脱自在にしており、ローラの端面には粘着手段が存在しないため、ローラの周面と端面との間の角部を用いて例えば顔面の小鼻部分等の小さな凹凸のある部分にローション等の液体を十分に塗布することができない問題がある。
【００１０】
この発明の目的は、ローラの周面に吸水性のシートを密着させることにより、シートを使い捨てにすることができ、使用後にシートを洗浄する等の衛生状態を維持するための煩雑な作業を不要にすることができるとともに、顔面の小鼻部分等の小さな凹凸のある部分にローション等の液体を十分に塗布することができるローション用塗布具を提供することにある。
【００１１】
【課題を解決するための手段】
この発明は、上記の課題を解決するための手段として、以下の構成を備えている。
【００１２】
（１）円柱形状の外形を呈するローラと、このローラの少なくとも周面に着脱自在に巻着する吸水性を有する使い捨てのシートと、ローラを回転自在に支持する支持部を把持部に一体的に形成したホルダと、を設けたことを特徴とする。
【００１３】
この構成においては、ホルダの支持部に回転自在に支持されたローラの周面に吸水性を有する使い捨てのシートが着脱自在に巻着する。したがって、シートに液体を含浸させた状態のシートがローラの周面に密着し、ローラの周面及びシートの一方の面にファスナ等の手段を備えることなくシートによってローラの周面を被覆した状態が維持され、シートが使い捨てに構成される。これによって、シートの衛生状態を維持するための洗浄等の煩雑な作業が不要になる。
【００１４】
（２）前記ローラは少なくとも一方の端面に凹部を形成し、前記シートはローラの軸方向の長さに等しい幅の本体と本体におけるローラの軸方向の少なくとも一端側からローラの半径方向の厚みを超える範囲に延出した延出部とからなり、シートの延出部の一部を挟み込んだ状態で前記凹部に着脱自在に嵌合する蓋体を設けたことを特徴とする。
【００１５】
この構成においては、ローラの周面を被覆する吸水性のシートにおけるローラ軸方向の少なくとも一端側から延出した延出部が、ローラの端面に形成された凹部に着脱自在に嵌合する蓋体とローラとの間に挟み込まれる。したがって、ローラにシートを着脱自在に保持させるための着脱手段をローラの周面やシートに備える必要がなく、使い捨てのシートが安価に構成される。また、ローラの周面及び端面に連続してシートが配置されるため、ローラの周面と端面との間の角部に位置するシートを用いて小さな凹凸のある部分にもマッサージ効果を与えつつローション等の液体が十分に塗布される。
【００１６】
（３）前記シートは、ローラの外径に略等しい内径のロール状を呈することを特徴とする。
【００１７】
この構成においては、ローラの周面に着脱自在に巻着されるシートが、ローラの外径に略等しい内径のロール状に形成される。したがって、シートの内部にローラを嵌入することによってローラの周面にシートが巻着した状態が容易に実現される。
【００１８】
（４）前記ローラは、少なくとも一方の端部の角部を全周にわたって丸めたことを特徴とする。
【００１９】
この構成においては、ローラにおいて周面と端面との間に形成される角部が丸められている。したがって、ローラの角部に位置するシートを用いてマッサージ効果を与えつつローション等の液体を塗布する際に、皮膚に損傷を与えることがない。
【００２０】
（５）前記蓋体は、一部においてローラに一体的に形成されていることを特徴とする。
【００２１】
この構成においては、ローラの両端の開放部分に着脱自在に嵌合する蓋体が、一部においてローラと一体に形成される。したがって、蓋体とローラとが分離することがなく、比較的小型の部品である蓋体の紛失が防止される。
【００２２】
（６）前記蓋体は、前記ホルダの支持部に回転自在に支持されていることを特徴とする。
【００２３】
この構成においては、ホルダにおいて把持部と一体に形成された支持部に蓋体が回転自在に支持される。したがって、蓋体とホルダとが分離することがなく、比較的小型の部品である蓋体の紛失が防止される。
【００２４】
（７）前記ローラは、軸方向の一部又は全部において前記凹部に連通する中空部を有し、前記蓋体は、前記ローラの中空部の水密性を維持する状態で前記凹部に嵌合することを特徴とする。
【００２５】
この構成においては、ローラの凹部に蓋体を嵌合した状態でローラの中空部が水密状態にされる。したがって、ローラの凹部に蓋体を嵌合させると、例えば、皮膚に対して温熱作用又は冷却作用を施すべくローラの中空部に充填された温水又は冷水が外部に漏出することがない。
【００２６】
（８）前記ローラは周面を平滑に構成し、前記シートはローラの周面に全周にわたって巻着する矩形を呈するとともに、前記シートがローションを含浸した状態で拡げて載置される板状体であって前記シートの載置面の略全面に多数の凹凸を形成したトレイを備えたことを特徴とする。
【００２７】
この構成においては、ローラの周面に全周にわたって巻着する矩形を呈するシートをローションを含浸した状態で拡げてトレイの載置面上に載置した後に、シートの上面に周面を接触させてローラを回転させると、シートに含浸されたローションからトレイの載置面に作用する表面張力とローラの周面に作用する表面張力との差によってシートがローラの周面に吸着する。したがって、ローションを含浸した状態のシートがトレイを用いてローラの周面に容易に巻着される。
【００２８】
（９）前記トレイは、前記載置面の周囲を包囲するリブを形成したことを特徴とする。
【００２９】
この構成においては、トレイにおいて周囲をリブによって包囲された載置面にローションを含浸したシートが載置される。したがって、シートをローラの周面に巻着させる際に、ローラの周面によってトレイに載置されたシートが押圧されることによってシートから滲み出したローションがトレイの外部に漏出することがない。
【００３０】
【発明の実施の形態】
図１は、この発明の実施形態に係るローション用塗布具の外観図である。この実施形態に係るローション用塗布具１０は、周面及び端面をシート１によって被覆されたローラ２、ローラ２の両端に嵌合する蓋体３，３、及び、蓋体３を介してローラ２を回転自在に支持するホルダ４からなる。
【００３１】
シート１は、不織布、織布、紙、コットン又はスポンジ等の吸水性のシートである。このシート１には、予めマイナスイオン加工や抗菌加工等を施しておくことができ、化粧効果や美容効果を促進する水溶性の組成物を含有又は塗布しておくこともできる。ローラ２は、後述するように、両端に開口部（この発明の凹部に相当する。）を有する中空円筒形状を呈している。蓋体３は、一部がローラ２の端部の開口部に嵌合した状態で外部に露出している一方の側面に凹所３ａが形成されている。ホルダ４は、一端側の開放端から蓋体３の凹所３ａ，３ａに圧接する軸体４ｄが突出した支持部４ａ，４ｂと、支持部４ａ，４ｂの他端側に連続する把持部４ｃと、からなる。
【００３２】
ホルダ４の支持部４ａ，４ｂは、互いに対称形状に形成されている。支持部４ａ，４ｂの開放端から突出した軸体４ｄ，４ｄは、ローラ２の軸方向において、ローラ２の両端に嵌合した蓋体３，３の各々の凹所３ａの底部の間隔よりも僅かに短い間隔にされており、支持部４ａ，４ｂの中間部の弾性力によって蓋体３，３の凹部３ａに圧接する。これによって、ローラ２は、蓋体３，３を介してホルダ４の支持部４ａ，４ｂの軸体４ｄ，４ｄの間に回転自在に支持される。
【００３３】
ローション等の化粧用又は美容用の液体を含浸したシート１によって外表面を被覆されたローラ２をホルダ４に回転自在に支持させ、ホルダ４の把持部４ｃを把持してローラ２を顔面等の皮膚に押圧しつつ回転させると、皮膚に対してマッサージ効果を与えつつローション等が塗布される。
【００３４】
なお、図２に示すように、ホルダ４は、ローラ２の一端側のみを支持するものであってもよい。
【００３５】
図３は、上記ローション用塗布具のローラ部の組立図である。また、図４は、同ローラ部の組立後における断面図である。ローラ２は、軸方向の略全域にわたって中空部２ｃを形成した中空円筒形状を呈しており、両端部には中空部２ｃを外部に連通する開口部２ａが形成されている。この開口部２ａがこの発明の凹部に相当し、開口部２ａに蓋体３の軸部３ｂが嵌入する。
【００３６】
なお、ローラ２は、軸方向の一部に中空部２ｃを形成したものであってもよく、中空部２ｃのない中実円柱形状を呈するものであってもよい。この場合、開口部２ａは、ローラ２の両端面に開放した凹部となる。
【００３７】
ローション用塗布具１０を皮膚に対するローション等の塗布に使用する際には、ホルダ４からローラ２を取り外すとともにローラ２の両端から蓋体３，３を外した状態で、シート１にローション等を含浸させた後、ローラ２の周面にシート１を巻着する。
【００３８】
シート１は、ローラ２の軸方向の長さに等しい幅でローラ２の周長よりも僅かに長い本体１ａと、ローラ２の軸方向における本体１ａの両端から延出した延出部１ｂと、からなる。延出部１ｂの延出長さは、ローラ１の端部における厚さよりも長くされている。シート１の本体１ａをローラ２の周面に巻着する際に、シート１の延出部１ｂをローラ２の端面を経由してローラ２の開口部２ａ内に折り込む。
【００３９】
蓋体３の凹部３ａが形成されている面と反対側の面には、軸部３ｂが延出している。軸部３ｂの外径は、ローラ２の開口部２ａの内径よりも僅かに大きくされているとともに、端部において開放した複数のスリット３ｃが形成されている。
【００４０】
シート１の延出部１ｂを折り込んだ状態のローラ２の開口部２ａに蓋体３の軸部３ｂを嵌入すると、軸部３ｂはスリット３ｃによって半径方向に弾性変形して外径を収縮される。これによって、図３に示すように、軸部３ｂの外周面がシート１の延出部１ｂの一部を挟んで開口部２ａの内周面に圧接した状態で、蓋体３がローラ２に取り付けられる。
【００４１】
このように、シート１は蓋体３，３を介して開口部２ａ，２ａに延出部１ｂを挟持された状態でローラ２の周面及び端面を被覆し、ローラ２に対するシート１の装着状態は、その延出部１ｂがローラ２の開口部２ａ，２ａの内周面と蓋体３，３の軸部３ｂの外周面とに挟持されることによって維持される。したがって、ローラ２に対するシート１の装着状態を維持するための部材をシート１及びローラ２の周面に設ける必要がなく、シート１のコストを低廉に抑えて使い捨てに構成することができ、使用後にシート１を清掃する等の煩雑な作業を使用者に強いることがない。
【００４２】
図３及び図４に示すように、ローラ２の周面と両端面との間の角部２ｂは、全周にわたって丸められており、ローラ２の角部２ｂを当接させても皮膚に損傷を与えることがない。この角部２ｂもシート１によって被覆されている。また、蓋体３の外径は、ローラ２の端部の外径よりも小さくされており、ローラ２の角部２ｂを皮膚に当接させる際に、蓋体３による支障を生じることがない。したがって、角部２ｂを用いて、例えば顔面の小鼻部分のような凹部に押圧によるマッサージ効果を与えつつローション等を塗布することができる。
【００４３】
なお、ローラ１の周面に例えば算盤状等の突起を形成することによって、皮膚へのマッサージ効果を高めるようにすることもできる。
【００４４】
また、図５に示すように、蓋体３，３をその一部においてローラ２の両端部に一体にし、比較的小型の部品である蓋体３，３の紛失を防止するようにしてもよい。この効果は、図６に示すように、蓋体３，３をホルダ４の支持部４ａの開放端から突出した軸体４ｄに回転自在に取り付けることによっても奏することができる。
【００４５】
さらに、ローラ２自体、又は、ローラ２に着脱自在にされた部材に保温・保冷機能を与え、皮膚に対してマッサージ効果とともに温熱効果又は冷却効果を与えることができるようにしてもよい。例えば、ローラ２を熱伝導率の高い材料で構成するとともに、ローラ２の内部中空部に機能性高分子ゲル等を素材とした保温・保冷剤を着脱自在に収納できるようする。ローション用塗布具１０の使用に際しては、ローラ２自体又は保温・保冷剤を、予め加熱又は冷却しておく。
【００４６】
ローション用塗布具１０によって皮膚に対してマッサージ効果とともに温熱効果又は冷却効果を与えるためには、蓋体３，３によってローラ２の内部の水密性を維持できるようにし、ローラ２の内部に温水又は冷水を充填するようにしてもよい。
【００４７】
加えて、シート１は必ずしもローラ２の周面に全周にわたって巻着するものである必要はなく、ローラ２の周面が部分的に外部に露出するようにして、皮膚に対するマッサージ効果を高くするようにしてもよい。
【００４８】
また、シート１は、図３に示した形状に限るものではなく、図７（Ａ）〜（Ｃ）又は図８（Ａ）〜（Ｃ）の何れかに示す形状であってもよい。図７（Ｂ）又は図８（Ｂ）に示す形状では、シート１の本体１ａにおけるローラ２の軸方向の一方の端部側のみに延出部１ｂが形成されている。
【００４９】
したがって、図７（Ｂ）又は図８（Ｂ）に示す形状のシート１が適用されるローラ２は、一方の端面にのみ開口部２ａを形成したものであればよく、単一の蓋体３のみを備えればよい。また、図７（Ｃ）又は図８（Ｃ）に示す形状では、シート１に延出部１ｂが形成されていない。この場合でも、シート１は吸水性を有する素材により構成されていることから、ローション等の液体を含浸した状態でローラ２の周面に密着することができ、使用中にローラ２の周面からシート１が容易に離脱することはない。図７（Ｃ）又は図８（Ｃ）に示す形状のシート１を用いる場合には、ローラ２に開口部２ａを形成する必要はなく、蓋体３も備える必要がない。
【００５０】
なお、図８（Ａ）〜（Ｃ）に示すシート１は、ローラ２の外径に略一致する内径のロール状に形成されている。このように、シート１をロール状に形成すると、シート１の内部にローラ２を嵌入することによってシート１がローラ２の周面に巻着した状態を容易に実現することができ、ローション用塗布具１０を使用する際の準備作業をさらに容易にすることができる。シート１は、予め、ローラ２の周長よりも所定量だけ長く形成しておき、その両端部においてローラ２の周長より長い部分のみを熱シール材を介して又は縫製により固着することによってロール状に形成することができる。
【００５１】
また、図７（Ｂ）、図８（Ａ）及び図８（Ｃ）に示すシート１の延出部１ｂの形状は、図３に示したシート１の延出部１ｂの形状に準ずるものであってもよい。さらに、図８（Ｂ）及び（Ｃ）に示すシート１は少なくとも一端側のみ開放していればよく、他端側が閉塞した袋状を呈するものであってもよい。
【００５２】
図９及び図１０は、この発明のさらに別の実施形態に係るローション用塗布具の要部の断面図及び組立図である。この実施形態に係るローション用塗布具１０に用いられるローラ２０は、図９に示すように、互いに異なる径の大小２つの中空の円筒２１，２２から構成されている。両端において開放した小径円筒２２が、一端において開放し他端において閉塞した大径円筒２１の内部に、中心軸を一致させて配置されている。小径円筒２２の他端側には、径を拡大した係合部２２ａが形成されている。大径円筒２１及び小径円筒２２が一端において開放しているため、ローラ２０は樹脂成形によって単一部品として一体的に成形することができる。
【００５３】
この実施形態に係るローション用塗布具１０に用いられるホルダ４０は、支持部４１、把持部４２及び軸部４３からなる。ホルダ４０は、支持部４１の一端に把持部４２を連続させ、支持部４１の他端から軸部４３を突出させて樹脂成形によって単一部品として一体的に成形される。軸部４３は、支持部４１の他端に片持ち支持されており、その開放端側には楔形の係止部４３ａが形成されている。軸部４３において係止部４３ａを除く部分の外径は、ローラ２０の小径円筒２２の内径に略等しくされている。また、軸部４３の軸長は、ローラ２０の軸長に略等しくされている。係止部４３ａは、支持部４１側から軸部４３の開放端に向って一旦拡大した径が徐々に縮小する形状にされており、軸方向の割りが等間隔に複数形成された中空形状にされている。したがって、係止部４３ａは、半径方向の外力の作用によって外径が縮小する方向に弾性変形する。
【００５４】
ローラ２０及びホルダ４０からローション用塗布具１０を組み立てる場合には、ホルダ４０の軸部４３に形成された係止部４３ａをローラ２０の小径円筒２２の内部にローラ２０の一端側から嵌入させる。係止部４３ａは、小径円筒２２の内径よりも大きい径の中間部において、小径円筒２２の内周面から半径方向に押圧されて外径が縮小される。この状態で軸部４３を小径円筒２２の内部に挿入していくと、係止部４３ａは係合部２２ａに達して小径円筒２２の内周面からの押圧力を受けなくなり、図９中二点鎖線で示すように、係止部４３ａの中間部の外径が拡大する。このとき、ローラ２０の他端側において係止部４３ａの中間部が係合部２２ａの段部に当接するとともに、ローラ２０の一端側はホルダ４０における支持部４１の端面に当接し、ローラ２０は軸部４３に対する軸方向の移動を規制された状態で軸部４３に回転自在に支持される。
【００５５】
以上のように、この実施形態に係るローション用塗布具１０は、ローラ２０及びホルダ４０の２個の部品のみによって構成され、製造コストを最も廉価にすることができる。なお、この実施形態に係るローション用塗布具１０には、図７（Ｃ）又は図８（Ｃ）に示した形状のシート１が用いられる。
【００５６】
図１１及び図１２は、さらに別の実施形態に係るローション用塗布具の外観図、及び、使用状態を説明する図である。この実施形態に係るローション用塗布具１０は、ローラ２の周面にローションを含浸した状態の矩形のシート１を巻着するものであり、この作業の容易化のためにシート１がローションを含浸した状態で載置されるトレイ５０を備えている。
【００５７】
ローション用塗布具１０は、ホルダ４の支持部４ａに、ローラ２を回転自在に片持ち支持している。このローラ２の周面は、平滑にされている。
【００５８】
シート１は、上述の実施形態と同様に、不織布、織布、紙、コットン又はスポンジ等の吸水性のシートであり、ローラ２の軸方向の幅に略等しい幅で、ローラ２の周長よりも多少（１０ｍｍ程度）長い矩形に形成されている。即ち、シート１は、ローラ２の周面に巻着できるサイズにされている。
【００５９】
トレイ５０は、樹脂材料を素材として成形され、シート１の平面形状よりも僅か（数ｍｍ程度）に大きい略矩形を呈する載置面５１を備えている。この載置面５１の全面には、多数の凹凸が形成されている。また、載置面５１の周囲は、載置面５１から立設したリブ５２によって包囲されている。
【００６０】
上記のローション用塗布具１０を使用する際には、先ず、トレイ５０の載置面５１上にシート１を載置し（図１２（Ａ）参照）、トレイ５０上のシート１にローション６０を含浸させる（図１２（Ｂ）参照）。なお、シート１に既にローション６０が含浸されている場合には、この作業は不要である。トレイ５０の載置面５１にローション６０を含浸した状態で拡げたシート１を載置した後、ローラ２の周面をシート１に圧接させた状態でローラ２が矢印Ｂ方向に回転するようにローション用塗布具１０を矢印Ａ方向に移動させる（図１２（Ｃ）参照）。
【００６１】
このようにすると、シート１に含浸されたローション６０からトレイ５０の載置面５１及びローラ２の周面に対して表面張力が作用する。このとき、トレイ５０の載置面５１には多数の凹凸が形成されている一方、ローラ２の周面は平滑に形成されているため、ローション６０からトレイ５０の載置面５１に作用する表面張力よりもローラ２の周面に作用する表面張力の方が大きい。このため、トレイ５０の載置面５１上に載置されていたシート１は、ローション６０の表面張力によってローラ２の周面に吸着し、ローラ２の回転にともなってローラ２の周面に巻着していく。
【００６２】
以上のように、この実施形態に係るローション用塗布具１０によれば、トレイ５０を用いてローションを含浸した状態のシート１をローラ２の周面に極めて容易に巻着させることができ、ローション用塗布具１０を使用する際の準備作業を短時間で完了させることができる。また、シート１は矩形に裁断することによって容易に形成されるため、コストの低廉化を実現できる。
【００６３】
また、図１２（Ａ），（Ｂ）に示したように、乾燥状態のシート１をトレイ５０の載置面５１上に載置した後にローション６０を含浸させるようにすると、塗布すべきローションによって手指を濡らすこともない。
【００６４】
さらに、トレイ５０の載置面５１は周囲をリブ５２によって包囲されているため、シート１にローション６０を含浸させる際、及び、周面をシート１に圧接させた状態でローラ２を回転させる際に、シート１から滲み出したローション６０がトレイ５０の外部に漏出することがなく、トレイ５０以外を濡らすことがない。
【００６５】
なお、１枚のシート１をトレイ５０の載置面５１に載置した状態で包装用パッケージ内に収納しておくことより、包装用パッケージを開封することによって直ぐに図１２（Ａ）に示す状態が得られ、ローション用塗布具１０を使用する際の準備作業がさらに容易になる。また、ローションを含浸させた状態のシート１を１枚ずつフィルムによって密封しておき、これを１つ又は複数重ねて単一又は複数のトレイ５０とともに包装用パッケージ内に収納しておくことにより、包装用パッケージからフィルムに密封されたシート１をトレイ５０とともに取り出した後、フィルムを開封してシート１をトレイ５０上に載置することによって直ぐにローラ２の周面に巻着させる作業を開始でき、ローション６０を含浸させる必要がない。
【００６６】
また、トレイ５０の載置面５１に形成する凹凸の形状（大きさを含む。）は、シート１の素材、ローション６０の特性、又は、ローラ２の周面の平滑性の少なくともいずれかを考慮して決定される。
【００６７】
【発明の効果】
この発明によれば、以下の効果を奏することができる。
【００６８】
（１）円柱形状の外形を呈するローラと、このローラの少なくとも周面に着脱自在に巻着する吸水性を有する使い捨てのシートと、ローラを回転自在に支持する支持部を把持部に一体的に形成したホルダと、を設けたことを特徴とする。
【００６９】
この構成においては、ホルダの支持部に回転自在に支持されたローラの周面に吸水性を有する使い捨てのシートが着脱自在に巻着する。したがって、シートに液体を含浸させた状態のシートがローラの周面に密着し、ローラの周面及びシートの一方の面にファスナ等の手段を備えることなくシートによってローラの周面を被覆した状態が維持され、シートが使い捨てに構成される。これによって、シートの衛生状態を維持するための洗浄等の煩雑な作業が不要になる。
【００７０】
（２）ローラの周面を被覆する吸水性のシートにおけるローラ軸方向の少なくとも一端側から延出した延出部を、ローラの端面に形成された凹部に嵌合する蓋体とローラとの間に挟み込むことにより、ローラにシートを着脱自在に保持させるための着脱手段をローラの周面やシートに備える必要をなくし、使い捨てのシートを安価に構成することができる。また、ローラの周面及び端面に連続してシートが配置されるため、ローラの周面と端面との間の角部に位置するシートを用いて小さな凹凸のある部分にもマッサージ効果を与えつつローション等の液体を十分に塗布することができる。
【００７１】
（３）ローラの周面に着脱自在に巻着されるシートをローラの外径に略等しい内径のロール状に形成することにより、シートの内部にローラを嵌入することによってローラの周面にシートが巻着した状態を容易に実現でき、使用に際しての準備作業を簡略化することができる。
【００７２】
（４）ローラにおいて周面と端面との間に形成される角部を丸めることにより、皮膚に対して、損傷を与えることなく、ローラの角部に位置するシートを用いてマッサージ効果を与えつつローション等の液体を塗布することができる。
【００７３】
（５）ローラの開口部に着脱自在に嵌合する蓋体を、一部においてローラと一体に形成することにより、蓋体とローラとが分離することがなく、比較的小型の部品である蓋体の紛失を防止できる。
【００７４】
（６）ホルダにおいて把持部と一体に形成された支持部に蓋体を回転自在に支持することにより、蓋体とホルダとが分離することがなく、比較的小型の部品である蓋体の紛失を防止できる。
【００７５】
（７）ローラの凹部に蓋体を嵌合した状態でローラの中空部を水密状態にすることより、ローラの凹部に蓋体を嵌合させると、例えば、皮膚に対して温熱作用又は冷却作用を施すべくローラ内に充填された温水又は冷水が外部に漏出することを防止できる。
【００７６】
（８）ローラの周面に全周にわたって巻着する矩形を呈するシートをローションを含浸した状態で拡げてトレイの載置面上に載置した後に、シートの上面に周面を接触させてローラを回転させることにより、ローションを含浸した状態のシートをローラの周面に容易に巻着させることができる。
【００７７】
（９）トレイにおいてローションを含浸したシートが載置される載置面の周囲をリブによって包囲することにより、シートをローラの周面に巻着させる際等に、ローラの周面によってトレイに載置されたシートが押圧されることによってシートから滲み出したローションがトレイの外部に漏出することを防止できる。
【図面の簡単な説明】
【図１】この発明の実施形態に係るローション用塗布具の外観図である。
【図２】この発明の別の実施形態に係るローション用塗布具の外観図である。
【図３】上記ローション用塗布具のローラ部の組立図である。
【図４】同ローラ部の組立後における断面図である。
【図５】この発明の別の実施形態に係るローション用塗布具に用いられるローラを示す外観図である。
【図６】この発明の別の実施形態に係るローション用塗布具に用いられるホルダを示す外観図である。
【図７】この発明の実施形態に係るローション用塗布具に用いられるシートの別の形状を示す図である。
【図８】この発明の実施形態に係るローション用塗布具に用いられるシートのさらに別の形状を示す図である。
【図９】この発明のさらに別の実施形態に係るローション用塗布具の要部の断面図である。
【図１０】同さらに別の実施形態に係るローション用塗布具の組立図である。
【図１１】この発明のさらに別の実施形態に係るローション用塗布具の外観図である。
【図１２】同さらに別の実施形態に係るローション用塗布具の使用状態を説明する図である。
【符号の説明】
１−シート
１ｂ−延出部
２−ローラ
２ａ−開口部
２ｂ−角部
３−蓋体
３ａ−凹部
３ｂ−軸部
４−ホルダ
４ａ−支持部
４ｂ−把持部
１０−ローション用塗布具
５０−トレイ
５１−載置面
５２−リブ
６０−ローション
【図１】
2004174200.tif 000003
【図２】
2004174200.tif 000004
【図３】
2004174200.tif 000005
【図４】
2004174200.tif 000006
【図５】
2004174200.tif 000007
【図６】
2004174200.tif 000008
【図７】
2004174200.tif 000009
【図８】
2004174200.tif 000010
【図９】
2004174200.tif 000011
【図１０】
2004174200.tif 000012
【図１１】
2004174200.tif 000013
【図１２】
2004174200.tif 000014